(57)【特許請求の範囲】
【請求項１】
送信装置の送信フィルタバンクで、変調信号を周波数軸上で隣接する分割帯域が重なる重畳域を有する複数の帯域に分割したサブ変調信号を生成し、各サブ変調信号を互いに不連続な帯域に周波数シフトし、複数のサブ変調信号ごとに異なる伝送路を介して伝送し、各伝送路に対応する受信装置の受信フィルタバンクごとに受信信号から各サブ変調信号を抽出し、各サブ変調信号の帯域を送信側の周波数シフト前の帯域に戻して合成した変調信号を復調する無線通信システムの受信装置において、
前記各伝送路に対応する受信装置ごとに、複数のサブ変調信号を含む受信信号から隣接するサブ変調信号が同じ信号成分を有する帯域である前記重畳域を分割した一方の帯域に相当する各信号成分を抽出して相関値１を算出し、前記重畳域を分割した他方の帯域に相当する各信号成分を抽出して相関値２を算出し、相関値１と相関値２の差分に応じて前記受信信号の周波数誤差を推定して補償する相関型周波数誤差推定回路を備えた
ことを特徴とする受信装置。
【請求項２】
送信装置の送信フィルタバンクで、変調信号を周波数軸上で隣接する分割帯域が重なる重畳域を有する複数の帯域に分割したサブ変調信号を生成し、各サブ変調信号を互いに不連続な帯域に周波数シフトし、１または複数のサブ変調信号ごとに異なる伝送路を介して伝送し、各伝送路に対応する受信装置の受信フィルタバンクごとに受信信号から各サブ変調信号を抽出し、各サブ変調信号の帯域を送信側の周波数シフト前の帯域に戻して合成した変調信号を復調する無線通信システムの受信装置において、
前記各伝送路に対応する受信装置ごとに、複数のサブ変調信号を含む受信信号から隣接するサブ変調信号が同じ信号成分を有する帯域である前記重畳域を分割した一方の帯域に相当する各信号成分を抽出して相関値１を算出し、前記重畳域を分割した他方の帯域に相当する各信号成分を抽出して相関値２を算出し、相関値１と相関値２の差分に応じて前記受信信号の周波数誤差を推定して補償する相関型周波数誤差推定回路と、
前記各伝送路に対応する受信装置ごとに、１つのサブ変調信号１を含む受信信号１の周波数をスイープしながら抽出した前記重畳域における信号成分と、前記相関型周波数誤差推定回路により周波数誤差が補償された受信信号２のサブ変調信号のうちサブ変調信号１に隣接するサブ変調信号２の前記重畳域における信号成分との相関値を算出し、この相関値が最大となる受信信号１のスイープ量により前記受信信号１の周波数誤差を推定して補償するスイープ型周波数誤差推定回路と
を備えたことを特徴とする受信装置。
【請求項３】
送信装置の送信フィルタバンクで、変調信号を周波数軸上で隣接する分割帯域が重なる重畳域を有する複数の帯域に分割したサブ変調信号を生成し、各サブ変調信号を互いに不連続な帯域に周波数シフトし、１つのサブ変調信号ごとに異なる伝送路を介して伝送し、各伝送路に対応する受信装置の受信フィルタバンクごとに受信信号から各サブ変調信号を抽出し、各サブ変調信号の帯域を送信側の周波数シフト前の帯域に戻して合成した変調信号を復調する無線通信システムの受信装置において、
前記各伝送路に対応する受信装置のうち１つの受信装置の受信信号１の周波数誤差１を基準とし、受信信号１のサブ変調信号と隣接するサブ変調信号が同じ信号成分を有する帯域である前記重畳域における信号成分と、受信信号１に隣接する受信信号２の周波数をスイープしながら抽出した前記重畳域における信号成分との相関値を算出し、この相関値が最大となる受信信号２のスイープ量により前記受信信号２の周波数誤差２を前記周波数誤差１に一致させ、受信信号２と同様に前記受信信号ｉ（ｉは２以上の整数）に隣接する受信信号ｉ＋１の周波数誤差ｉ＋１を前記周波数誤差１に一致させるスイープ型周波数誤差推定回路と、
前記周波数誤差１を有する複数の受信信号から各サブ変調信号を抽出し、さらに前記周波数シフトして合成した変調信号の既知情報を用いて周波数誤差１を推定して補償するＵＷ型周波数誤差推定回路と
を備えたことを特徴とする受信装置。
【請求項４】
請求項２に記載の受信装置の周波数誤差推定回路において、
前記各伝送路に対応する受信装置ごとに、１つのサブ変調信号１を含む受信信号１の周波数をスイープしながら抽出した前記重畳域における信号成分と、前記相関型周波数誤差推定回路により周波数誤差が補償された受信信号２のサブ変調信号のうちサブ変調信号１に隣接するサブ変調信号２の前記重畳域における信号成分との相関値を算出し、この相関値が最大となる受信信号１のスイープ量により前記受信信号１の周波数誤差を推定して補償する構成である
ことを特徴とする周波数誤差推定回路。
【請求項５】
請求項３に記載の受信装置の周波数誤差推定回路において、
前記各伝送路に対応する受信装置のうち１つの受信装置の受信信号１の周波数誤差１を基準とし、受信信号１の前記重畳域における信号成分と、受信信号１に隣接する受信信号２の周波数をスイープしながら抽出した前記重畳域における信号成分との相関値を算出し、この相関値が最大となる受信信号２のスイープ量により前記受信信号２の周波数誤差２を前記周波数誤差１に一致させ、受信信号２と同様に前記受信信号ｉに隣接する受信信号ｉ＋１の周波数誤差ｉ＋１を前記周波数誤差１に一致させる構成である
ことを特徴とする周波数誤差推定回路。
【請求項６】
送信装置の送信フィルタバンクで、変調信号を周波数軸上で隣接する分割帯域が重なる重畳域を有する複数の帯域に分割したサブ変調信号を生成し、各サブ変調信号を互いに不連続な帯域に周波数シフトし、複数のサブ変調信号ごとに異なる伝送路を介して伝送し、各伝送路に対応する受信装置の受信フィルタバンクごとに受信信号から各サブ変調信号を抽出し、各サブ変調信号の帯域を送信側の周波数シフト前の帯域に戻して合成した変調信号を復調する無線通信システムの受信方法において、
前記各伝送路に対応する受信装置ごとに、複数のサブ変調信号を含む受信信号から隣接するサブ変調信号が同じ信号成分を有する帯域である前記重畳域を分割した一方の帯域に相当する各信号成分を抽出して相関値１を算出し、前記重畳域を分割した他方の帯域に相当する各信号成分を抽出して相関値２を算出し、相関値１と相関値２の差分に応じて前記受信信号の周波数誤差を推定して補償する相関型周波数誤差補償ステップを有する
ことを特徴とする受信方法。
【請求項７】
送信装置の送信フィルタバンクで、変調信号を周波数軸上で隣接する分割帯域が重なる重畳域を有する複数の帯域に分割したサブ変調信号を生成し、各サブ変調信号を互いに不連続な帯域に周波数シフトし、１または複数のサブ変調信号ごとに異なる伝送路を介して伝送し、各伝送路に対応する受信装置の受信フィルタバンクごとに受信信号から各サブ変調信号を抽出し、各サブ変調信号の帯域を送信側の周波数シフト前の帯域に戻して合成した変調信号を復調する無線通信システムの受信方法において、
前記各伝送路に対応する受信装置ごとに、複数のサブ変調信号を含む受信信号から隣接するサブ変調信号が同じ信号成分を有する帯域である前記重畳域を分割した一方の帯域に相当する各信号成分を抽出して相関値１を算出し、前記重畳域を分割した他方の帯域に相当する各信号成分を抽出して相関値２を算出し、相関値１と相関値２の差分に応じて前記受信信号の周波数誤差を推定して補償する相関型周波数誤差補償ステップと、
前記各伝送路に対応する受信装置ごとに、１つのサブ変調信号１を含む受信信号１の周波数をスイープしながら抽出した前記重畳域における信号成分と、前記相関型周波数誤差推定回路により周波数誤差が補償された受信信号２のサブ変調信号のうちサブ変調信号１に隣接するサブ変調信号２の前記重畳域における信号成分との相関値を算出し、この相関値が最大となる受信信号１のスイープ量により前記受信信号１の周波数誤差を推定して補償するスイープ型周波数誤差補償ステップと
を有することを特徴とする受信方法。
【請求項８】
送信装置の送信フィルタバンクで、変調信号を周波数軸上で隣接する分割帯域が重なる重畳域を有する複数の帯域に分割したサブ変調信号を生成し、各サブ変調信号を互いに不連続な帯域に周波数シフトし、１つのサブ変調信号ごとに異なる伝送路を介して伝送し、各伝送路に対応する受信装置の受信フィルタバンクごとに受信信号から各サブ変調信号を抽出し、各サブ変調信号の帯域を送信側の周波数シフト前の帯域に戻して合成した変調信号を復調する無線通信システムの受信方法において、
前記各伝送路に対応する受信装置のうち１つの受信装置の受信信号１の周波数誤差１を基準とし、受信信号１のサブ変調信号と隣接するサブ変調信号が同じ信号成分を有する帯域である前記重畳域における信号成分と、受信信号１に隣接する受信信号２の周波数をスイープしながら抽出した前記重畳域における信号成分との相関値を算出し、この相関値が最大となる受信信号２のスイープ量により前記受信信号２の周波数誤差２を前記周波数誤差１に一致させ、受信信号２と同様に前記受信信号ｉ（ｉは２以上の整数）に隣接する受信信号ｉ＋１の周波数誤差ｉ＋１を前記周波数誤差１に一致させるスイープ型周波数誤差補償ステップと、
前記周波数誤差１を有する複数の受信信号から各サブ変調信号を抽出し、さらに前記周波数シフトして合成した変調信号の既知情報を用いて周波数誤差１を推定して補償するＵＷ型周波数誤差補償ステップと
を有することを特徴とする受信方法。
【発明の詳細な説明】
【技術分野】
【０００１】
本発明は、送信装置から周波数帯域を分割して送信されたサブ変調信号を受信し、帯域合成して復調処理を行う受信装置および受信方法に関する。特に、サブ変調信号が複数の異なる伝送路を介して伝送される形態に対応する受信装置、受信方法および周波数誤差推定回路に関する。
【背景技術】
【０００２】
図８は、送信装置の構成例を示す。
図８において、送信装置は、変調回路１０、直並列変換回路１１、ＦＦＴ（高速フーリエ変換) 回路１２、送信フィルタバンク２０、ＩＦＦＴ（高速逆フーリエ変換) 回路１３、並直列変換回路１４を備える。変調回路１０は、送信するデータ信号をＱＰＳＫなどの変調方式で変調し、波形整形した変調信号を直並列変換回路１１に入力する。直並列変換回路１１は変調信号を直並列変換し、ＦＦＴ回路１２で高速フーリエ変換し、時間領域の信号から周波数領域の信号へ変換して送信フィルタバンク２０に入力する。
【０００３】
送信フィルタバンク２０は、分割回路２１、周波数シフタ２２1 〜２２N （Ｎは２以上の整数）、加算回路２３を備え、変調信号の帯域をＮ分割する構成である。変調信号の帯域を３分割（Ｎ＝３）する例を図１０に示す。
【０００４】
送信フィルタバンク２０の分割回路２１は、周波数領域に変換された変調信号に対して、図１０(a) の破線で示す信号帯域をＮ分割する分割係数を周波数ごとに乗算し、図１０(b) に示すＮ個のサブ変調信号１〜Ｎを生成する。周波数シフタ２２1 〜２２N は、サブ変調信号１〜Ｎを周波数軸上の所望の帯域に分散配置し、加算回路２３で足し合わせることにより、図１０(c) に示すような分散配置されたサブ変調信号が生成される。この分散配置後の送信サブ変調信号は、ＩＦＦＴ回路１３で高速逆フーリエ変換により周波数領域の信号から時間領域の信号へ変換され、並直列変換回路１４で並直列変換して出力される。
【０００５】
図９は、受信装置の構成例１を示す（非特許文献１参照) 。
図９において、受信装置は、直並列変換回路３１、ＦＦＴ回路３２、受信フィルタバンク４０、ＩＦＦＴ回路３３、並直列変換回路３４、復調回路３５、乗算回路３６、ＵＷ型周波数誤差推定回路５０を備える。直並列変換回路３１は、乗算回路３６を介して入力する受信信号を直並列変換し、ＦＦＴ回路３２で高速フーリエ変換し、時間領域の信号から周波数領域の受信信号へ変換して受信フィルタバンク４０に入力する。
【０００６】
受信フィルタバンク４０は、サブ変調信号抽出回路４１、周波数シフタ４２1 〜４２N 、加算回路４３を備え、帯域をＮ分割されたサブ変調信号を分割前の変調信号に合成する構成である。帯域が３分割（Ｎ＝３）された変調信号を合成する例を図１１に示す。
【０００７】
受信フィルタバンク４０のサブ変調信号抽出回路４１は、周波数領域に変換された受信信号に対して、図１１(a) の破線で示す分割係数を周波数ごとに乗算し、送信側で周波数シフトされたサブ変調信号１〜Ｎを抽出する。周波数シフタ４２1 〜４２N は、図１１(b) に示すように、受信サブ変調信号１〜Ｎを送信側で周波数シフトされる前の帯域に戻し、加算回路４３で足し合わせることにより、図１１(c) に示すような合成された変調信号が生成される。この合成後の変調信号は、ＩＦＦＴ回路３３で高速逆フーリエ変換により周波数領域の信号から時間領域の信号へ変換され、並直列変換回路３４で並直列変換して出力される。復調回路３５は並直列変換回路３４から出力された変調信号を復調し、送信装置から送信されたデータ信号を復元する。
【０００８】
このような送信装置および受信装置を用いることにより、変調信号の占有帯域を分割して生成された各サブ変調信号を周波数軸上の任意の場所に分散配置できるため、不連続な空き周波数帯域等を有効利用することができる。
【０００９】
しかし、受信信号に周波数誤差Δf が生じると、帯域分割して伝送されたサブ変調信号を合成する際に信号の歪みが生じ、伝送特性が劣化する。そこで、図９に示すＵＷ型周波数誤差推定回路５０において、復調回路３５に入力する信号から受信信号に含まれる周波数誤差を推定して周波数誤差補償値を生成し、この周波数誤差補償値を乗算回路３６に入力して受信信号と乗算し、受信信号からサブ変調信号を抽出・合成する前に周波数誤差を補償して伝送特性を改善する方法が提案されている（非特許文献１）。
【００１０】
ここで、図１２に示すように、既知信号（ＵＷ）とデータ信号（ＤＡＴＡ）からなるフレームフォーマットを用いる場合を想定する。図９に示すＵＷ型周波数誤差推定回路５０では、タイミング検出回路５１でＵＷタイミングを検出し、無変調化回路５２で既知であるＵＷパターンを用いて受信信号を逆変調化することにより、ＵＷ区間の変調成分を取り除いた無変調信号を生成する。位相回転量検出回路５３は、この無変調信号の隣接するシンボルとの位相回転量を検出し、この位相回転量が０になるように、ループフィルタ５４で雑音の影響を低減した上で、積分回路５５、可変発振器５６を用いて周波数誤差補償値を生成し、この周波数誤差補償値を乗算回路３６に入力して受信信号の周波数誤差を補償する。
【００１１】
図１３は、周波数誤差補償例を示す。
図１３(a) は、受信信号の各サブ変調信号と分割係数の帯域に周波数誤差Δｆが生じている状態を示す。ＵＷ型周波数誤差推定回路５０は、この周波数誤差Δｆを補償する周波数誤差補償値Δｆを上記の手順により生成し、乗算回路３６で受信信号の周波数誤差Δｆを補償することにより、図１３(b) に示す周波数誤差補償後の受信信号が得られる。これをサブ変調信号抽出回路４１でそれぞれの分割係数で抽出し、周波数シフタ４２1 〜４２N で周波数シフトすることにより図１３(c) に示すサブ変調信号が得られ、これを加算回路４３で合成することにより、図１３(d) に示す歪みのない変調信号が生成される。
【００１２】
図１４は、受信装置の構成例２を示す（非特許文献２参照) 。
図１４において、受信装置は、直並列変換回路３１、ＦＦＴ回路３２、受信フィルタバンク４０、ＩＦＦＴ回路３３、並直列変換回路３４、復調回路３５、乗算回路３７、相関型周波数誤差推定回路６０を備える。直並列変換回路３１は、乗算回路３７を介して入力する受信信号を直並列変換し、ＦＦＴ回路３２で高速フーリエ変換し、時間領域の信号から周波数領域の受信信号へ変換して受信フィルタバンク４０に入力する。
【００１３】
相関型周波数誤差推定回路６０は、周波数成分抽出回路６１、相関回路６２−１〜６２−２、平滑化回路６３−１〜６３−２、加算回路６４、サブ変調信号間の平滑化回路６５、ループフィルタ６６、積分回路６７、可変発振器６８により構成される。相関型周波数誤差推定回路６０は、ＦＦＴ回路３２から受信フィルタバンク４０に入力する信号を分岐して入力し、隣接する分割係数が重なる重畳域におけるサブ変調信号成分の相関関係から、受信信号の周波数誤差を以下のように推定する。
【００１４】
図１５に示すように、隣接する分割係数ｋ，ｋ＋１の重畳域Ｗk において、サブ変調信号ｋ，ｋ＋１は分割前は同じ信号のため、分割後も同じ信号成分を有する。そこで、重畳域Ｗk を２分割し、重畳域Ｗk に相当するサブ変調信号ｋの信号成分をＳk,c 、Ｓk,d とし、サブ変調信号ｋ＋１の信号成分をＳk+1,a 、Ｓk+1,b とする。
【００１５】
周波数成分抽出回路６１は、同じ帯域である信号成分Ｓk,c とＳk+1,a を相関回路６２−１に入力し、同じ帯域である信号成分Ｓk,d とＳk+1,b を相関回路６２−２に入力する。このとき、それぞれ一方の信号成分は複素共役（ここではＳ*k+1,a、Ｓ*k+1,b）を入力する。相関回路６２−１は、Ｓk,c とＳ*k+1,aを乗算した値の絶対値または２乗した値を相関値として平滑化回路６３−１を介して加算回路６４に入力する。乗算回路６２−２は、Ｓk,d とＳ*k+1,bを乗算した値の絶対値または２乗した値を相関値として平滑化回路６３−２を介して加算回路６４に入力する。加算回路６４は、平滑化回路６３−１から出力される相関値と、平滑化回路６３−２から出力される相関値の差を算出し、サブ変調信号間の平滑化回路６５に入力する。
【００１６】
受信信号に周波数誤差がない場合（Δｆ＝０）、図１５(b),(c) に示すように、信号成分Ｓk,c とＳk+1,a の相関値（Ａ）と、信号成分Ｓk,d とＳk+1,b の相関値（Ｂ）の差分（Ａ−Ｂ）の時間平均値ｄk は０になる。
【００１７】
一方、受信信号に周波数誤差が生じた場合（Δｆ≠０）、図１６(b),(c) に示すように、信号成分Ｓk,c とＳk+1,a の相関値（Ａ）と、信号成分Ｓk,d とＳk+1,b の相関値（Ｂ）の差分（Ａ−Ｂ）の時間平均値ｄk は０にならない。例えば、Δｆ＞０のときはｄk ＜０となり、Δｆ＜０のときはｄk ＞０となる。
【００１８】
サブ変調信号間の平滑化回路６５は、複数のサブ変調信号間の各重畳域Ｗk （１≦ｋ＜Ｎ−１）に対応する相関値の差分の時間平均値ｄk の１つ以上を選択して平滑化した周波数誤差値Ｄを出力する。この周波数誤差値Ｄは、ループフィルタ６６でループゲインが乗算され、さらに積分回路６７で積分して可変発振器６８に入力され、発振周波数を制御して周波数誤差補償値が生成される。乗算回路３７は、この周波数誤差補償値を用いて、周波数誤差値Ｄが０になるように受信信号の周波数誤差を補償し、直並列変換回路３１に入力する。
【先行技術文献】
【非特許文献】
【００１９】
【非特許文献１】阿部、中平、杉山、”帯域分散伝送におけるブラインド型位相補償方式の実験的検証”、電子情報通信学会技術研究報告、衛星通信、vol.111, no.336, SAT2011-46, pp.41-46,2011年12月
【非特許文献２】阿部、中平、杉山、”スペクトラム分割アダプタにおけるブラインド型周波数同期方式の提案”、電子情報通信学会ソサイエティ大会 B-3-1  2012年９月
【非特許文献３】阿部、山下、小林、”スペクトラム編集型帯域分散伝送の実験的検証”、電子情報通信学会技術研究報告、衛星通信、vol.110, SAT2010-1, pp.1-6, 2010年６月
【発明の概要】
【発明が解決しようとする課題】
【００２０】
ここで、図１７(a),(b) に示すように、帯域分散配置後のサブ変調信号が複数の異なる伝送路で伝送される場合がある。例えば、帯域ごとに異なる中継器を介して伝送される場合や、送信出力をアナログフィルタを用いて複数に分配し、それぞれ異なるアンテナで送受信する場合などである。複数の異なる伝送路を用いることにより異なるシステムに散在する空き周波数帯域の有効利用や、複数のアンテナを用いることにより１アンテナ当たりの送信出力を低減させ、非線形歪みの発生を抑制することが可能である。
【００２１】
このような場合、サブ変調信号ごとに異なる中継器を通過したりＲＦ装置で周波数変換されるため、図１７(c) 示すように、伝送路によって異なる周波数誤差が生じる。
【００２２】
図９や図１４に示す従来の受信装置では、各伝送路ごとに異なる周波数誤差を個別に補償できる構成になっていないため、図１７(d),(e) に示すように周波数誤差が残ったまま抽出、周波数シフト、合成が行われ、合成信号に歪みが生じて伝送特性が劣化する問題がある。
【００２３】
また、送信装置でサブ変調信号を生成する際に、複数の異なる伝送路で伝送することを想定して、図１８に示すように、送信フィルタバンク２０−１〜２０−ｍを用いてｍ系統の送信信号１〜ｍを出力する構成が考えられる。例えば、サブ変調信号を垂直、水平の２偏波の周波数帯域に分散させる場合や、複数のアンテナを用いて送信する場合などである。
【００２４】
このような場合も、出力系統ごとに異なる周波数誤差が生じるため、伝送路ごとに異なる周波数誤差が生じる場合と同様に、図９や図１４に示す従来の受信装置では、合成信号に歪みが生じて伝送特性が劣化する問題がある。
【００２５】
本発明は、複数のサブ変調信号に異なる周波数誤差があっても、各周波数誤差を補償して歪みのない変調信号を合成し、伝送特性を改善することができる受信装置、受信方法および周波数誤差推定回路を提供することを目的とする。
【課題を解決するための手段】
【００２６】
第１の発明は、送信装置の送信フィルタバンクで、変調信号を周波数軸上で隣接する分割帯域が重なる重畳域を有する複数の帯域に分割したサブ変調信号を生成し、各サブ変調信号を互いに不連続な帯域に周波数シフトし、複数のサブ変調信号ごとに異なる伝送路を介して伝送し、各伝送路に対応する受信装置の受信フィルタバンクごとに受信信号から各サブ変調信号を抽出し、各サブ変調信号の帯域を送信側の周波数シフト前の帯域に戻して合成した変調信号を復調する無線通信システムの受信装置において、各伝送路に対応する受信装置ごとに、複数のサブ変調信号を含む受信信号から隣接するサブ変調信号が同じ信号成分を有する帯域である重畳域を分割した一方の帯域に相当する各信号成分を抽出して相関値１を算出し、重畳域を分割した他方の帯域に相当する各信号成分を抽出して相関値２を算出し、相関値１と相関値２の差分に応じて受信信号の周波数誤差を推定して補償する相関型周波数誤差推定回路を備える。
【００２７】
第２の発明は、送信装置の送信フィルタバンクで、変調信号を周波数軸上で隣接する分割帯域が重なる重畳域を有する複数の帯域に分割したサブ変調信号を生成し、各サブ変調信号を互いに不連続な帯域に周波数シフトし、１または複数のサブ変調信号ごとに異なる伝送路を介して伝送し、各伝送路に対応する受信装置の受信フィルタバンクごとに受信信号から各サブ変調信号を抽出し、各サブ変調信号の帯域を送信側の周波数シフト前の帯域に戻して合成した変調信号を復調する無線通信システムの受信装置において、各伝送路に対応する受信装置ごとに、複数のサブ変調信号を含む受信信号から隣接するサブ変調信号が同じ信号成分を有する帯域である重畳域を分割した一方の帯域に相当する各信号成分を抽出して相関値１を算出し、重畳域を分割した他方の帯域に相当する各信号成分を抽出して相関値２を算出し、相関値１と相関値２の差分に応じて受信信号の周波数誤差を推定して補償する相関型周波数誤差推定回路と、各伝送路に対応する受信装置ごとに、１つのサブ変調信号１を含む受信信号１の周波数をスイープしながら抽出した重畳域における信号成分と、相関型周波数誤差推定回路により周波数誤差が補償された受信信号２のサブ変調信号のうちサブ変調信号１に隣接するサブ変調信号２の重畳域における信号成分との相関値を算出し、この相関値が最大となる受信信号１のスイープ量により受信信号１の周波数誤差を推定して補償するスイープ型周波数誤差推定回路とを備える。
【００２８】
第３の発明は、送信装置の送信フィルタバンクで、変調信号を周波数軸上で隣接する分割帯域が重なる重畳域を有する複数の帯域に分割したサブ変調信号を生成し、各サブ変調信号を互いに不連続な帯域に周波数シフトし、１つのサブ変調信号ごとに異なる伝送路を介して伝送し、各伝送路に対応する受信装置の受信フィルタバンクごとに受信信号から各サブ変調信号を抽出し、各サブ変調信号の帯域を送信側の周波数シフト前の帯域に戻して合成した変調信号を復調する無線通信システムの受信装置において、各伝送路に対応する受信装置のうち１つの受信装置の受信信号１の周波数誤差１を基準とし、受信信号１のサブ変調信号と隣接するサブ変調信号が同じ信号成分を有する帯域である重畳域における信号成分と、受信信号１に隣接する受信信号２の周波数をスイープしながら抽出した重畳域における信号成分との相関値を算出し、この相関値が最大となる受信信号２のスイープ量により受信信号２の周波数誤差２を周波数誤差１に一致させ、受信信号２と同様に受信信号ｉ（ｉは２以上の整数）に隣接する受信信号ｉ＋１の周波数誤差ｉ＋１を周波数誤差１に一致させるスイープ型周波数誤差推定回路と、周波数誤差１を有する複数の受信信号から各サブ変調信号を抽出し、さらに周波数シフトして合成した変調信号の既知情報を用いて周波数誤差１を推定して補償するＵＷ型周波数誤差推定回路とを備える。
【００２９】
第２の発明の受信装置の周波数誤差推定回路は、各伝送路に対応する受信装置ごとに、１つのサブ変調信号１を含む受信信号１の周波数をスイープしながら抽出した重畳域における信号成分と、相関型周波数誤差推定回路により周波数誤差が補償された受信信号２のサブ変調信号のうちサブ変調信号１に隣接するサブ変調信号２の重畳域における信号成分との相関値を算出し、この相関値が最大となる受信信号１のスイープ量により受信信号１の周波数誤差を推定して補償する構成である。
【００３０】
第３の発明の受信装置の周波数誤差推定回路は、各伝送路に対応する受信装置のうち１つの受信装置の受信信号１の周波数誤差１を基準とし、受信信号１の重畳域における信号成分と、受信信号１に隣接する受信信号２の周波数をスイープしながら抽出した重畳域における信号成分との相関値を算出し、この相関値が最大となる受信信号２のスイープ量により受信信号２の周波数誤差２を周波数誤差１に一致させ、同様に受信信号ｉ（ｉは自然数）に隣接する受信信号ｉ＋１の周波数誤差ｉ＋１を周波数誤差１に一致させる構成である。
【００３１】
第４の発明は、送信装置の送信フィルタバンクで、変調信号を周波数軸上で隣接する分割帯域が重なる重畳域を有する複数の帯域に分割したサブ変調信号を生成し、各サブ変調信号を互いに不連続な帯域に周波数シフトし、複数のサブ変調信号ごとに異なる伝送路を介して伝送し、各伝送路に対応する受信装置の受信フィルタバンクごとに受信信号から各サブ変調信号を抽出し、各サブ変調信号の帯域を送信側の周波数シフト前の帯域に戻して合成した変調信号を復調する無線通信システムの受信方法において、各伝送路に対応する受信装置ごとに、複数のサブ変調信号を含む受信信号から隣接するサブ変調信号が同じ信号成分を有する帯域である重畳域を分割した一方の帯域に相当する各信号成分を抽出して相関値１を算出し、重畳域を分割した他方の帯域に相当する各信号成分を抽出して相関値２を算出し、相関値１と相関値２の差分に応じて受信信号の周波数誤差を推定して補償する相関型周波数誤差補償ステップを有する。
【００３２】
第５の発明は、送信装置の送信フィルタバンクで、変調信号を周波数軸上で隣接する分割帯域が重なる重畳域を有する複数の帯域に分割したサブ変調信号を生成し、各サブ変調信号を互いに不連続な帯域に周波数シフトし、１または複数のサブ変調信号ごとに異なる伝送路を介して伝送し、各伝送路に対応する受信装置の受信フィルタバンクごとに受信信号から各サブ変調信号を抽出し、各サブ変調信号の帯域を送信側の周波数シフト前の帯域に戻して合成した変調信号を復調する無線通信システムの受信方法において、各伝送路に対応する受信装置ごとに、複数のサブ変調信号を含む受信信号から隣接するサブ変調信号が同じ信号成分を有する帯域である重畳域を分割した一方の帯域に相当する各信号成分を抽出して相関値１を算出し、重畳域を分割した他方の帯域に相当する各信号成分を抽出して相関値２を算出し、相関値１と相関値２の差分に応じて受信信号の周波数誤差を推定して補償する相関型周波数誤差補償ステップと、各伝送路に対応する受信装置ごとに、１つのサブ変調信号１を含む受信信号１の周波数をスイープしながら抽出した重畳域における信号成分と、相関型周波数誤差推定回路により周波数誤差が補償された受信信号２のサブ変調信号のうちサブ変調信号１に隣接するサブ変調信号２の重畳域における信号成分との相関値を算出し、この相関値が最大となる受信信号１のスイープ量により受信信号１の周波数誤差を推定して補償するスイープ型周波数誤差補償ステップとを有する。
【００３３】
第６の発明は、送信装置の送信フィルタバンクで、変調信号を周波数軸上で隣接する分割帯域が重なる重畳域を有する複数の帯域に分割したサブ変調信号を生成し、各サブ変調信号を互いに不連続な帯域に周波数シフトし、１つのサブ変調信号ごとに異なる伝送路を介して伝送し、各伝送路に対応する受信装置の受信フィルタバンクごとに受信信号から各サブ変調信号を抽出し、各サブ変調信号の帯域を送信側の周波数シフト前の帯域に戻して合成した変調信号を復調する無線通信システムの受信方法において、各伝送路に対応する受信装置のうち１つの受信装置の受信信号１の周波数誤差１を基準とし、受信信号１のサブ変調信号と隣接するサブ変調信号が同じ信号成分を有する帯域である重畳域における信号成分と、受信信号１に隣接する受信信号２の周波数をスイープしながら抽出した重畳域における信号成分との相関値を算出し、この相関値が最大となる受信信号２のスイープ量により受信信号２の周波数誤差２を周波数誤差１に一致させ、受信信号２と同様に受信信号ｉ（ｉは２以上の整数）に隣接する受信信号ｉ＋１の周波数誤差ｉ＋１を周波数誤差１に一致させるスイープ型周波数誤差補償ステップと、周波数誤差１を有する複数の受信信号から各サブ変調信号を抽出し、さらに周波数シフトして合成した変調信号の既知情報を用いて周波数誤差１を推定して補償するＵＷ型周波数誤差補償ステップとを有する。
【発明の効果】
【００３４】
本発明は、複数のサブ変調信号ごとに異なる伝送路を介して伝送されるときに、各伝送路対応に相関型周波数誤差推定回路を用いて複数のサブ変調信号を有する受信信号の周波数誤差をそれぞれ補償することにより、歪みのない変調信号を合成し、伝送特性を改善することができる。
【００３５】
本発明は、１または複数のサブ変調信号ごとに異なる伝送路を介して伝送されるときに、各伝送路対応に相関型周波数誤差推定回路を用いて複数のサブ変調信号を有する受信信号の周波数誤差を補償し、周波数誤差が補償された受信信号のサブ変調信号を基準に、スイープ型周波数誤差推定回路を用いて１つのサブ変調信号を有する受信信号の周波数誤差を補償することにより、歪みのない変調信号を合成し、伝送特性を改善することができる。
【００３６】
本発明は、１つのサブ変調信号ごとに異なる伝送路を介して伝送されるときに、各伝送路対応にスイープ型周波数誤差推定回路を用いて、各受信信号の周波数誤差を１つの受信信号の周波数誤差に一致させ、ＵＷ型周波数誤差推定回路を用いて各受信信号の一致した周波数誤差を補償することにより、歪みのない変調信号を合成し、伝送特性を改善することができる。
【図面の簡単な説明】
【００３７】
【図１】本発明の受信装置の実施例１の構成を示す図である。
【図２】本発明の受信装置の実施例２の構成を示す図である。
【図３】本発明の受信装置の実施例１の要部構成例を示す図である。
【図４】本発明の受信装置の動作例１を示す図である。
【図５】本発明の受信装置の動作例２を示す図である。
【図６】動作例２における受信信号２の周波数誤差補償原理を説明する図である。
【図７】本発明の受信装置の動作例３を示す図である。
【図８】送信装置の構成例を示す図である。
【図９】受信装置の構成例１を示す図である。
【図１０】送信装置における帯域分割を説明する図である。
【図１１】受信装置における帯域合成を説明する図である。
【図１２】フレームフォーマットを示す図である。
【図１３】周波数誤差補償例を説明する図である。
【図１４】受信装置の構成例２を示す図である。
【図１５】周波数誤差の推定原理（周波数誤差Δｆ＝０）を説明する図である。
【図１６】周波数誤差の推定原理（周波数誤差Δｆ≠０）を説明する図である。
【図１７】従来の受信装置における課題１を説明する図である。
【図１８】従来の受信装置における課題２を説明する送信装置の構成例を示す図である。
【発明を実施するための形態】
【００３８】
図１は、本発明の受信装置の実施例１の構成を示す。
図１において、実施例１の受信装置は、ｍ系列の伝送路を介して伝送された受信信号１〜ｍが並列に入力する構成である。例えば、図１８に示す送信装置に対応する受信装置の構成である。
【００３９】
受信信号ｉ（ｉは１〜ｍの整数）は、乗算回路３６−ｉ、乗算回路３７−ｉ、直並列変換回路３１−ｉ、ＦＦＴ回路３２−ｉを介して受信フィルタバンク４０−ｉに入力して１または複数のサブ変調信号に変換され、各系列共通の加算回路４３で全サブ変調信号を加算して、ＩＦＦＴ回路３３、並直列変換回路３４を介して復調回路３５に入力する。さらに、各受信信号ｉの系列ごとに、ＦＦＴ回路３２−ｉの出力を分岐して入力する相関型周波数誤差推定回路６０−ｉおよびスイープ型周波数誤差推定回路７０−ｉを備え、スイッチ６９−ｉが相関型周波数誤差推定回路６０−ｉまたはスイープ型周波数誤差推定回路７０−ｉの出力を選択して乗算回路３７−ｉに接続する。スイープ型周波数誤差推定回路７０−ｉには、隣接する受信信号系列の受信フィルタバンクの１つの出力も接続される（詳しくは後述する）。さらに、図９の従来構成と同様のＵＷ型周波数誤差推定回路５０を備え、その出力が乗算回路３６−ｉに共通接続される。
【００４０】
図２は、本発明の受信装置の実施例２の構成を示す。
図２において、実施例２の受信装置は、ｍ系列の伝送路を介して伝送された受信信号が一括で入力する構成である。受信信号は、乗算回路３６を介してｍ系列に分岐されて乗算回路３７−ｉに接続され、その他の構成は実施例１と同様である。
【００４１】
図３は、実施例の受信装置の実施例１の要部構成例を示す。ここでは、受信信号２の系列の相関型周波数誤差推定回路６０−２およびスイープ型周波数誤差推定回路７０−２の構成例を示す。
【００４２】
図３において、受信信号２の系列のＦＦＴ回路３２−２の出力は、分岐して相関型周波数誤差推定回路６０−２およびスイープ型周波数誤差推定回路７０−２に入力する。さらに、スイープ型周波数誤差推定回路７０−２には、受信信号１に対応する受信フィルタバンク４０−１から出力されるサブ変調信号のうち、受信信号２のサブ変調信号に隣接するサブ変調信号（周波数シフタ４２N の出力）が入力される。相関型周波数誤差推定回路６０−２およびスイープ型周波数誤差推定回路７０−２の出力は、スイッチ６９−２を介してその一方が選択されて乗算回路３７−２に入力する。
【００４３】
相関型周波数誤差推定回路６０−２は、図１４〜図１６に示す従来構成と同様に、ＦＦＴ回路３２−２から受信フィルタバンク４０−２に入力する信号を取り込み、隣接する分割係数が重なる重畳域におけるサブ変調信号成分の相関関係に基づいて、受信信号２に含まれる周波数誤差を推定して周波数誤差補償値を生成し、この周波数誤差補償値を乗算回路３７−２に入力し、受信信号２の周波数誤差を補償してからサブ変調信号の抽出を行う。
【００４４】
スイープ型周波数誤差推定回路７０−２は、スイーパ７１、周波数成分抽出回路７２、相関回路７３、平滑化回路７４、最大値検出回路７５により構成される。各回路の動作については後述する。
【００４５】
以下、受信信号の周波数誤差を補償する構成は、実施例１および実施例２で共通であるので、まとめて説明する。
【００４６】
（受信装置の動作例１）
図４は、本発明の受信装置の動作例１を示す。
図４において、受信信号１の周波数誤差Δf1と受信信号２の周波数誤差Δf2が異なる場合には、相関型周波数誤差推定回路６０−１，６０−２によりそれぞれ個別に周波数誤差を補償することにより、受信信号１と受信信号２の周波数誤差が補償された状態で、サブ変調信号１〜４の抽出、周波数シフト、合成が可能となる。
【００４７】
なお、本動作例１は、各受信信号が複数の隣接するサブ変調信号を含む場合に対応し、図１および図２の構成のうち、スイープ型周波数誤差推定回路７０−１〜７０−ｍ、ＵＷ型周波数誤差推定回路５０および乗算回路３６−１〜３６−ｍ、３６は使用されず、スイッチ６９−２〜６９−ｍは相関型周波数誤差推定回路６０−１〜６０−ｍを選択する。
【００４８】
（受信装置の動作例２）
図５は、本発明の受信装置の動作例２を示す。
図５において、複数の隣接するサブ変調信号１〜３を含む受信信号１は、相関型周波数誤差推定回路６０−１を用いて周波数誤差Δf1を推定して補償することができる。一方、１つのサブ変調信号４を含む受信信号２は、相関型周波数誤差推定回路６１−２では周波数誤差を推定することができないので、スイープ型周波数誤差推定回路７０−２を用いて、周波数誤差が補償された受信信号１のサブ変調信号３を基準に、受信信号２の周波数誤差Δf2を推定して補償する（詳しくは後述する）。そのために、スイープ型周波数誤差推定回路７０−２には、受信信号２に対応するＦＦＴ回路３２−２の出力と、受信信号１に対応する受信フィルタバンク４０−１から出力されるサブ変調信号のうち、受信信号２のサブ変調信号に隣接するサブ変調信号（周波数シフタ４２N の出力）が入力される。
【００４９】
また、受信信号１が１つのサブ変調信号のみを含み、受信信号２が複数の隣接するサブ変調信号を含む場合には、受信信号１の系列に配置されたスイープ型周波数誤差推定回路７０−１を用いて、周波数誤差が補償された受信信号２のサブ変調信号を基準にして、受信信号１の周波数誤差を推定して補償する。そのために、スイープ型周波数誤差推定回路７０−１には、受信信号１に対応するＦＦＴ３２−１の出力と、受信信号２に対応する受信フィルタバンク４０−２から出力されるサブ変調信号のうち、受信信号１のサブ変調信号に隣接するサブ変調信号（周波数シフタ４２1 の出力）が入力される。
【００５０】
他の受信信号の系列においても同様の構成となる。ここで、各受信信号系列ごとにサブ変調信号が存在する帯域が予め設定されており、受信装置の受信フィルタバンク４０−１〜４０−ｍはそれぞれ所要帯域のサブ変調信号を抽出し周波数シフトする構成になっている。さらに、複数の隣接するサブ変調信号を処理する受信信号系列と、１つのサブ変調信号を処理する受信信号系列もそれぞれ既知であるので、スイッチ６９−ｉはその既知情報に基づいて、相関型周波数誤差推定回路６０−ｉとスイープ型周波数誤差推定回路７０−ｉを選択してその出力を乗算回路３７−ｉに入力する構成となる。図５に示す受信信号１と受信信号２の場合は、受信信号１の系列のスイッチ６９−１は相関型周波数誤差推定回路６０−１の出力を選択し、受信信号２の系列のスイッチ６９−２はスイープ型周波数誤差推定回路７０−２の出力を選択する。
【００５１】
ここで、図３および図６を参照してスイープ型周波数誤差推定回路７０における周波数誤差補償原理について説明する。
【００５２】
図６に示すように、受信信号１が隣接するサブ変調信号１〜３を有し、受信信号２がサブ変調信号３に隣接するサブ変調信号４を有する場合、受信信号１の周波数誤差は相関型周波数誤差推定回路６０−１で補償されるが、受信信号２の周波数誤差は相関型周波数誤差推定回路６０−２で補償できないのでスイープ型周波数誤差推定回路７０−２が用いられる。スイープ型周波数誤差推定回路７０−２は、受信信号１のサブ変調信号３を基準に受信信号２を周波数領域でスイープさせ、隣接するサブ変調信号３，４の重畳域Ｗ3 において相関値が最大になるスイープ量を算出し、対応する受信信号２の周波数誤差Δf2を補償する。
【００５３】
図３，図６において、スイープ型周波数誤差推定回路７０−２のスイーパ７１は、ＦＦＴ回路３２−２から入力する受信信号２の周波数を所定の周波数範囲でスイープさせる。また、スイープさせる周波数量は、所定時間ｔの間は一定とする。周波数成分抽出回路７２は、受信フィルタバンク４０−１の周波数シフタ４２N から入力するサブ変調信号３の重畳域Ｗ3 における信号成分ｒ12と、スイーパ７１から出力されるサブ変調信号４の重畳域Ｗ3 における信号成分ｒ21を抽出して相関回路７３に入力する。相関回路７３は、ｒ12とｒ21の複素共役を乗算した値の絶対値または２乗した値を相関値として平滑化回路７４に入力し、時間間隔ｔで得られたすべての相関値を平滑化して最大値検出回路７５に入力する。最大値検出回路７５では、平滑化された相関値が最大となるスイープ量を算出し、その結果を周波数誤差補償値として出力する。スイーパ７１は、スイープが終了したらスイープ量を０にする。この周波数誤差補償値をスイッチ６９−２を介して入力する乗算回路３７−２は、受信信号２の周波数誤差が０になるように受信信号の周波数誤差を補償し、直並列変換回路３１−２に入力する。
【００５４】
なお、本動作例２は、複数の隣接するサブ変調信号を含む受信信号と、１つのサブ変調信号を含む受信信号が混在する場合に対応し、図１および図２の構成のうち、ＵＷ型周波数誤差推定回路５０および乗算回路３６−１〜３６−ｍ、３６は使用されない。
【００５５】
（受信装置の動作例２の変形）
受信装置の動作例２は、図６において、１つのサブ変調信号４を含む受信信号２の周波数誤差をスイープ型周波数誤差推定回路７０−２を用いて推定する例を示した。これは、当該受信信号２のサブ変調信号４と、周波数誤差が補償された受信信号１のサブ変調信号３が隣接するときに、重畳域Ｗ3 における相関値が最大になるサブ変調信号４のスイープ量が受信信号２の周波数誤差に一致することを利用している。このように、周波数誤差が補償されている受信信号があれば、その受信信号に隣接する受信信号のサブ変調信号が１つであっても、スイープ型周波数誤差推定回路を用いて周波数誤差の補償を順次行っていくことができる。すなわち、受信信号２の１つのサブ変調信号４の周波数誤差が補償されれば、隣接する受信信号３のサブ変調信号が１つであっても同様に周波数誤差の補償が可能である。
【００５６】
図１に示すスイープ型周波数誤差推定回路７０−１は、受信信号１が１つのサブ変調信号を含み、受信信号２が複数の隣接するサブ変調信号を含む場合に、相関型周波数誤差推定回路６０−２で周波数誤差を補償した受信信号２を用いて受信信号１の周波数誤差を補償する接続関係を示している。同様に、受信信号１および受信信号２が１つのサブ変調信号を含み、受信信号３が複数の隣接するサブ変調信号を含む場合には、周波数誤差を補償した受信信号３を用いて受信信号２の周波数誤差を補償し、さらに周波数誤差を補償した受信信号２を用いて受信信号１の周波数誤差を補償するように接続関係を対応させればよい。
【００５７】
（受信装置の動作例３）
図７は、本発明の受信装置の動作例３を示す。
図７において、受信信号１〜３がそれぞれサブ変調信号を１つ含む場合、例えば受信信号１を固定し、スイープ型周波数誤差推定回路を用いて受信信号２の周波数誤差Δf2を受信信号１の周波数誤差Δf1に合わせる。一方の受信信号の周波数誤差を他方の受信信号の周波数誤差に合わせる制御は、図６を参照して説明した通りである。次に、スイープ型周波数誤差推定回路を用いて受信信号３の周波数誤差Δf3を受信信号２の周波数誤差Δf1に合わせる。このようにして、受信信号２，３のすべての周波数誤差を受信信号１の周波数誤差Δf1に合わせることができる。なお、基準となる周波数誤差は受信信号１の周波数誤差Δf1以外であってもよい。
【００５８】
この状態で受信信号１〜３の各サブ変調信号を合成し、ＵＷ型周波数誤差推定回路５０を用いて、受信信号１〜３の共通の周波数誤差Δf1に対する推定周波数誤差補償値を生成し、この周波数誤差補償値を実施例１の乗算回路３６−１〜３６−３、または実施例２の乗算回路３６に入力し、受信信号１〜３の周波数誤差を補償したサブ変調信号の抽出・合成を行う。
【００５９】
なお、本動作例３は、受信信号１〜ｍのすべてが１つのサブ変調信号を含む場合に対応し、図１および図２の構成のうち、相関型周波数誤差推定回路６０−１〜６０−ｍは使用されない。また、受信信号１の周波数誤差を基準とする場合には、スイープ型周波数誤差推定回路７０−１およびスイッチ６９−１も使用されず、スイッチ６９−２〜６９−ｍはスイープ型周波数誤差推定回路７０−２〜７０−ｍを選択する。
【００６０】
以上示した実施例の構成により、受信信号の周波数誤差を推定して補償することにより信号伝送特性を改善することができる。また、本発明は、特別なパイロット信号やフレームフォーマットが不要なため、伝送効率を低下させることなく受信信号の周波数誤差を補償して信号伝送特性を改善することができる。
【００６１】
また、受信フィルタバンク４０の周波数シフタ４２の前段または後段に、サブ変調信号間の位相を補償する構成を付加してもよい。位相補償は、例えば非特許文献１，３に示す方式がある。また、分割係数の乗算の際に、位相補償を同時に行う構成としてもい。
【００６２】
また、連続信号を処理する受信フィルタバンク４０としてオーバーラップ加算を用いる構成とした場合、オーバーラップ加算を行う２つのＦＦＴ回路のそれぞれにおいて生成したサブ変調信号から周波数誤差推定値を算出してもよい。また、一方のＦＦＴ回路で生成したサブ変調信号から算出した周波数誤差推定値を２つのＦＦＴ回路で共有する構成でもよい。
【符号の説明】
【００６３】
１０  変調回路
１１  直並列変換回路
１２  ＦＦＴ（高速フーリエ変換) 回路
１３  ＩＦＦＴ（高速逆フーリエ変換) 回路
１４  並直列変換回路
２０  送信フィルタバンク
２１  分割回路
２２  周波数シフタ２２
２３  加算回路
３１  直並列変換回路
３２  ＦＦＴ回路
３３  ＩＦＦＴ回路
３４  並直列変換回路
３５  復調回路
３６  乗算回路
３７  乗算回路
４０  受信フィルタバンク
４１  サブ変調信号抽出回路
４２  周波数シフタ
４３  加算回路
５０  ＵＷ型周波数誤差推定回路
５１  タイミング検出回路
５２  無変調化回路
５３  位相回転量検出回路
５４  ループフィルタ
５５  積分回路
５６  可変発振器
６０  相関型周波数誤差推定回路
６１  周波数成分抽出回路
６２  相関回路
６３  平滑化回路
６４  加算回路
６５  平滑化回路
６６  ループフィルタ
６７  積分回路
６８  可変発振器
６９  スイッチ（ＳＷ）
７０  スイープ型周波数誤差推定回路
７１  スイーパ
７２  周波数成分抽出回路
７３  相関回路
７４  平滑化回路
７５  最大値検出回路
【要約】
【課題】複数のサブ変調信号に異なる周波数誤差があっても、各周波数誤差を補償して歪みのない変調信号を合成し、伝送特性を改善する。
【解決手段】送信側で生成した各サブ変調信号を互いに不連続な帯域に周波数シフトし、１または複数のサブ変調信号ごとに異なる伝送路を介して伝送された受信信号を処理する受信装置において、各伝送路に対応する受信装置ごとに、１つのサブ変調信号１を含む受信信号１の周波数をスイープしながら抽出した重畳域における信号成分と、相関型周波数誤差推定回路により周波数誤差が補償された受信信号２のサブ変調信号のうちサブ変調信号１に隣接するサブ変調信号２の重畳域における信号成分との相関値を算出し、この相関値が最大となる受信信号１のスイープ量により受信信号１の周波数誤差を推定して補償するスイープ型周波数誤差推定回路とを備える。
【選択図】  図１【図１】
0005437508.tif 000002
【図２】
0005437508.tif 000003
【図３】
0005437508.tif 000004
【図４】
0005437508.tif 000005
【図５】
0005437508.tif 000006
【図６】
0005437508.tif 000007
【図７】
0005437508.tif 000008
【図８】
0005437508.tif 000009
【図９】
0005437508.tif 000010
【図１０】
0005437508.tif 000011
【図１１】
0005437508.tif 000012
【図１２】
0005437508.tif 000013
【図１３】
0005437508.tif 000014
【図１４】
0005437508.tif 000015
【図１５】
0005437508.tif 000016
【図１６】
0005437508.tif 000017
【図１７】
0005437508.tif 000018
【図１８】
0005437508.tif 000019